【事件の表示】
　特願２００７−　１５６６４「薬用育毛剤」拒絶査定不服審判事件〔平成２０年　８月　７日出願公開、特開２００８−１７９５７６〕について、次のとおり審決する。
【結　論】
　本件審判の請求は、成り立たない。
【理　由】
１．手続の経緯
　本願は、平成１９年１月２５日の出願であって、拒絶理由通知に応答し平成２１年４月９日受付けで手続補正書と意見書が提出され、平成２１年７月２９日受付けで上申書が提出されたが、平成２２年６月２８日付けで拒絶査定がなされ、これに対し、平成２２年１０月４日に拒絶査定不服審判が請求され、その審判の請求と同時に手続補正がなされたものであり、その後、前置報告書を用いた審尋が通知されたが、それに対する回答は提出されなかったものである。
　
２．本願発明
　本願請求項１に係る発明は、平成２２年１０月４日受付けの手続補正書の特許請求の範囲の請求項１に記載された事項により特定された次のとおりのものである。
　「【請求項１】　厚労省認定の発毛有効成分　イソプロピルメチルフェノール、酢酸トコフェロール、D-パントテニルアルコール、メントールと付随する成分　ボタンエキス、ニンジンエキス、センブリエキス、アデノシン３リン酸２Na、グリシン、セリン、メチオニン、ヒキオコシエキス-1、シナノキエキス、オウゴンエキス、ダイズエキス、アルニカエキス、オドリコソウエキス、オランダカラシエキス、ゴボウエキス、セイヨウキズタエキス、ニンニクエキス、マツエキス、ローズマリーエキス、ローマカミツレエキス、エタノール、水、BG、POPジグリセリルエーテル、POE水添ヒマシ油を配合した事を特徴とする薬用育毛剤。」
　
３．引用例
　原査定の拒絶理由に引用された本願出願前に頒布された刊行物である、
特開２００２−８０３２７号公報（以下、「引用例１」という。）、
国際公開第２００６／９５７７８号（以下、「引用例２」という。）、
特開２００１−２８８０４２号公報（以下、「引用例３」という。）、
特開２００１−００２５３２号公報（以下、「引用例４」という。）、
特開平１０−２６５３４９号公報（以下、「引用例５」という。）、
特開平０６−１３５８２１号公報（以下、「引用例６」という。）、
特開２００３−０１２４７２号公報（以下、「引用例７」という。）、
特開２００３−３２１３３０号公報（以下、「引用例８」という。）、
特開２００５−１３９１１５号公報（以下、「引用例９」という。）、
及び、本願出願当時に既に知られていた技術を示す周知図書として例示する
Fragrance Journal 編集部編、「香粧品製造学　技術と実際」、フレグランスジャーナル社、平成１３年８月２５日、第１版第１刷発行、第３６４〜３７３頁（以下、「周知図書Ａ」という。）、
日本化粧品技術者会編、「化粧品事典」、丸善株式会社、平成１７年４月２５日第３刷発行、第３２７〜３３０頁の「育毛剤」の項（以下、「周知図書Ｂ」という。）、
関根茂代表、蔵多淑子外４名編、「化粧品ハンドブック」、日光ケミカルズ株式会社外２社、平成８年１１月１日発行、第３３１〜３６０頁、第４７１〜４８５頁（以下、「周知図書Ｃ」という。）
には、次の技術事項が記載されている。なお、下線は当審で付した。
　
［引用例１］
　（1-i）「【請求項１】　末梢血流促進剤とオイゲノール配糖体とを含有することを特徴とする養毛料。
【請求項２】　
末梢血流促進剤が、
センブリエキス
朝鮮ニンジンエキス
ビタミンＥ誘導体
からなる群より選択される１種又は２種以上である
養毛料
　（1-ii）「【０００１】【発明の属する技術分野】
本発明は、養毛料に関し、
育毛効果、脱毛予防効果、ふけ防止効果及び白髪防止効果に優れた養毛料に関する
　（1-iii）「【００１１】本発明に用いられる
末梢血流促進剤としては、
センブリエキス
朝鮮ニンジンエキス
ビタミンＥ誘導体
ヨウ化ニンニクエキス
　（1-iv）「【００１６】
センブリエキス
【００１７】
朝鮮ニンジンエキス
　（1-v）「【００２５】本発明においては、これら末梢血流促進剤の中から、一種又は二種以上を適宜選択して用いることができる。
特に好ましい末梢血流促進剤は、
センブリエキス
朝鮮ニンジンエキス
ビタミンＥ誘導体
これら、末梢血流促進剤の配合量は、通常０．０００１〜１０．０質量％（以下、単に％と記す）であり
　（1-vi）「【００２９】また、本発明においては、更に浸透促進剤を配合することにより、
所望する効果が増強される。浸透促進剤の具体例としては、
ポリオキシエチレン（４０モル）硬化ヒマシ油
　（1-vii）「【００３２】尚、本発明養毛料には、通常の皮膚外用剤（毛髪用化粧料を含む）に配合され得る一般的な基剤成分や薬効成分を、具体的な組成物の剤型や形態に応じて、その剤型や形態における所望の効果を損なわない限りにおいて配合することができる。具体的には、
水
エタノール
プロピレングリコール類等の多価アルコール
界面活性剤
アミノ酸類
殺菌剤
動植物抽出エキス
抗炎症剤
適宜選択して配合することができる
　（1-viii）「【００３４】
【実施例】以下、本発明を実施例等により、更に具体的に説明するが、これらにより本発明の技術的範囲が限定解釈されるべきものではない。尚、実施例に先立って各実施例で採用した試験法及び評価法を説明する。
【００３５】（１）Ｃ３Ｈマウス発毛促進効果試験法
Ｃ３Ｈマウス（８週齢、オス、平均重量３５ｇ）の背部皮膚（２ｃｍ×４ｃｍ）を電気バリカン及びシェーバーで刈り、翌日より実施例及び比較例の各試料を被験部皮膚に朝夕２回、一匹当り０．２ｍＬを二週間連用塗布した。一試料に対して動物一群１０匹使用した。塗布開始１４日目に各試料の被験部皮膚をビデオカメラに撮影し、画像解析装置にて毛刈り部及び発毛部の面積を測定した。養毛効果の判定は、下記に示す発毛率（％）を対照群と比較することにより行った。
発毛率（％）＝（発毛部の面積／毛刈り部の面積）×１００
【００３６】（２）ヒト頭皮毛成長促進効果試験法
男性型脱毛症患者である被試験者１０名の頭部の耳の上５ｃｍの位置の頭髪を左右２カ所に於いて直径１ｃｍの円形状に剃毛した被験部位に、実施例及び比較例の各試料を左側に毎日朝夕２回、約３ｍＬ塗布し、無処置の右側と比較した。効果の判定は、試験開始後２８日目に、左右の被験部位の毛髪各々２０本ずつを剃毛し、下記の式で求めた値で毛成長促進度を評価した。
毛成長促進度＝（Ｂ）／（Ａ）
（Ａ）：右側（無処置）の毛２０本の長さの平均値
（Ｂ）：左側（実施例及び比較例の試料を塗布）の毛２０本の長さの平均値
【００３７】（３）フケ防止試験法　　・・・中略・・・
【００３８】（４）白髪の発生予防及び抑制効果　　・・・中略・・・
【００３９】実施例１〜６及び比較例１〜６
表１に示す組成の養毛料を常法により調製し、発毛率、毛成長促進度、フケ防止効果、白髪発生予防及び抑制効果を調べた。結果を表１に示す。
【００４０】　【表１】
【００４１】　・・・中略・・・
【００４２】実施例７〜１２及び比較例７〜１２
表２に示す組成の養毛料を常法により調製し、発毛率、毛成長促進度、フケ防止効果、白髪発生予防及び抑制効果を調べた。結果を表２に示す。
【００４３】　【表２】
【００４４】　・・・（後略）。」（段落【００３４】〜【００４４】）
　（1-ix）「【００５０】
実施例１５（ヘアトニック）
　　　（配合成分）　　　　　　　　　　　　　　　　　配合量（％）
（１）ジイソプロピルアミンジクロロアセテート　　　　　０．７
（２）
酢酸トコフェロール
（３）ヒノキチオール　　　　　　　　　　　　　　　　　０．１
（４）ニコチン酸ベンジル　　　　　　　　　　　　　　　０．０５
（５）セファランチン　　　　　　　　　　　　　　　　　０．０１
（６）オイゲニルグルコシド（α体）　　　　　　　　　　０．５
（７）
Ｄ−パントテニルアルコール
（８）
イソプロピルメチルフェノール
（９）水添ビサボロール　　　　　　　　　　　　　　　　０．５
（10）
ｌ−メントール
（11）サンショウエキスＢＧ−Ｊ（丸善製薬社製）　　　　０．５
（12）
エタノール
（13）
ポリオキシエチレン（８０）硬化ヒマシ油
（14）
精製水
【００５１】＜製造方法＞（12）に（１）〜（６）（８）〜（11）を添加し、攪拌溶解した後、（14）に（７）、（13）を添加し、撹拌溶解したものを加えて、ヘアトニックを得た。
【００５２】
実施例１６（ヘアリキッド）
　　　（配合成分）　　　　　　　　　　　　　　　　　　配合量（％）
（１）ポリオキシプロピレン（５０）ブチルエーテル　　　　２０．０
（２）ポリオキシプロピレン（３２）ブチルエーテルリン酸）１０．０
（３）
ニンジンエキス
（４）
センブリエキス
（５）オイゲニルガラクドシド（β体）　　　　　　　　　　　１．０
（６）
１，３−ブチレングリコール
（７）
９５％エタノール
（８）水添ビサボロール　　　　　　　　　　　　　　　　　　３．０
（９）香料　　　　　　　　　　　　　　　　　　　　　　　　適　量
（９）色素　　　　　　　　　　　　　　　　　　　　　　　　適　量
（10）エデト酸　　　　　　　　　　　　　　　　　　　　　　適　量
（11）
精製水
【００５３】＜製造方法＞（７）に（１）〜（６）（８）（９）を添加し、攪拌溶解した後、（11）に（９）（10）を添加し、撹拌溶解したものを加えて、ヘアリキッドを得た。」（段落【００５０】〜【００５３】参照）
　
［引用例２］
　（2-i）「［１］　
１種以上の生薬成分を生体適合性高分子に封入して成る育毛成分
［２］　請求項１に記載の育毛成分含有ナノ粒子において、
前記生薬成分が毛母細胞活性剤若しくは消炎剤から選ばれた１種以上
　（2-ii）「［0043］　本発明の育毛成分含有ナノ粒子に
内包される生薬成分としては、毛母細胞活性剤、消炎剤、男性ホルモン拮抗剤、血行促進剤、殺菌・抗菌剤等の、育毛効果を有する種々の生薬成分が挙げられる
パンテノール
ニンジンエキス
ニンニク成分
　［0044］　
消炎剤は、頭皮の炎症を抑えてフケやかゆみを抑制するものである。このような消炎剤としては、
オウゴンエキス
　［0045］　
男性ホルモン拮抗剤
３−デオキシアデノシン
オタネニンジンエキス
　［0046］　
血行促進剤は、毛細血管を拡張することにより血流量を増大させ、毛乳頭への栄養補給を促進するものである。このような血行促進剤としては、
カミツレエキス
ローズマリーエキス
センブリエキス
ニンジンエキス
　［0047］　
殺菌剤は、発毛に悪影響のある雑菌の繁殖を防止するものである。このような殺菌剤としては、
イソプロピルメチルフェノール
メントール
」（第８頁の段落［００４３］〜第９頁の段落［００４７］参照）
　（2-iii）「［0053］　また、複合化の際に、複合化粒子（ナノコンポジット）の表面にさらにビタミンやプロビタミン等の薬剤を付着させることにより、ナノ粒子から徐放的に放出される育毛成分とは別に、頭皮浸透直後に複合化粒子表面から溶け出す速効性の薬剤を作用させることができる。このような構成とすることで、ＰＬＧＡ複合化粒子にさらにすばやい浸透性（速効性の浸透作用）を与えられる。なお、複合化される薬剤が水溶性であれば、すばやく溶けて速効性の効果を示すのでより好ましい。
　［0054］　このような薬剤としては、ビタミンＡ、ビタミンＢ、ビタミンＣ、ビタミンＤ、
ビタミンＥ
これらの成分又は誘導体
Ｄ−パントテニルアルコール
酢酸ｄｌ−α−トコフェロール
　（2-iv）「［0059］　
保湿剤は、頭皮の乾燥を防止して柔軟にすることで、発毛環境を整えるものである。このような保湿剤としては、
ボタンピエキス
ゴボウエキス
　［0060］　
局所刺激剤は、頭皮の新陳代謝の活性化、頭皮の強化、かゆみ防止等の効果を有するものである。このような局所刺激剤としては、
メントール
オランダカラシエキス
　［0061］　
抗脂漏剤は、脱毛を促進する過剰に分泌された皮脂を除外したり、皮脂腺の活動を抑制したりするものである。このような抗脂漏剤としては、
オドリコソウエキス
　［0062］　なお、上記分散液中に、
育毛成分以外の任意の成分、例えばエタノールや多価アルコール
界面活性剤
等を本発明の効果を妨げない範囲で配合することができる
　（2-v）「［0103］上記育毛成分封入ナノ粒子
の発毛、育毛効果を十分に活用できる他の育毛成分（ビタミン類、炎症抑制、殺菌、血行促進用成分など）を配合した分散液の処方
【実施例１３】
　［0104］　［表２］　−−省略−−
【実施例１４】
　［0105］　［表３］
」（第２３頁の段落［0103］〜第２４頁の［0105］参照）
　
［引用例３］
　（3-i）「【請求項１】　
消炎剤、並びに、
アデノシン5'−リン酸およびアデノシン5'−リン酸の塩
を含有する頭皮頭髪用組成物
【請求項２】　
消炎剤が、
イソプロピルメチルフェノール
メントール類
　（3-ii）「【０００５】
従来の頭皮頭髪用組成物は、一般に、これらの禿や脱毛の原因と考えられる要素を取り除いたり軽減する作用を持つ物質を配合したものである
ビタミンＥ等のビタミン類
セリン、メチオニン等のアミノ酸類
センブリエキス
などの血管拡張剤
等が配合され、禿や脱毛、髪の細りの予防および治療に用いられている
　（3-iii）「【０００７】
【課題を解決するための手段】本発明者らは、上述の観点を鑑み鋭意研究を重ねた結果、
消炎剤とアデノシン類とを組み合わせて配合すると、養毛効果に優れるだけではなく、消炎剤のもつ頭皮の消炎効果、荒れ防止効果、フケ・カユミ防止効果、および、脱毛防止・改善効果が相乗的に高められ
　（3-iv）「【００１０】アデノシンは、リボヌクレオシドの一つで塩基部分にプリン誘導体であるアデニンを含むものである。アデノシン5'−リン酸は5'−アデニル酸とも呼ばれ、アデノシンのリボースの5'位のヒドロキシル基にリン酸が１分子結合したヌクレオチドである。」（段落【００１０】参照）
　（3-v）「【００４６】
  〔実施例１１〕　ローション
　配合成分　　　　　　　　　　　　　　　　　配合量（質量％）
　
９５％エタノール
　
アデノシン5'−リン酸２ナトリウム
　酸化亜鉛　　　　　　　　　　　　　　　　　　　０．１
　塩化ベンザルコニウム　　　　　　　　　　　　　０．２
　
メントール
　
セリン
　ポリエチレングリコール４００　　　　　　　　　１．０
　
ポリオキシエチレン（20モル）硬化ヒマシ油
　リン酸　　　　　　　　　　　　　　　　　　　　適　量
　香料および色素　　　　　　　　　　　　　　　　適　量
　精製水　　　　　　　　　　　　　　　　　　　　残　量
＜製造方法＞９５％エタノールに、アデノシン5'−リン酸２ナトリウムを溶解させ、さらに、メントール、セリン、ポリエチレングリコール４００、ポリオキシエチレン（20モル）硬化ヒマシ油および香料を溶解させた（エタノール部）。次に、精製水に酸化亜鉛を分散させ、さらに、塩化ベンザルコニウム、リン酸および色素を溶解させ、これを、前記エタノール部に加えた後、攪拌することにより、２層状のローションを得た。」（段落【００４６】参照）
　
［引用例４］
　（4-i）「【請求項１】  
血行促進剤及び毛包賦活剤から選ばれる１種以上の成分
を含有することを特徴とする育毛剤
【請求項２】  
血行促進剤がセンブリエキスまたは酢酸トコフェロール
毛包賦活剤がパンテノール
　（4-ii）「【００１６】本発明に使用される
血行促進剤としては、
センブリエキス
ニンニクエキス
酢酸ｄ，ｌ−α−トコフェロール等のビタミンＥ
センブリエキス
ニンニクエキス
酢酸ｄ，ｌ−α−トコフェロール
センブリエキス及び酢酸ｄ，ｌ−α−トコフェロールが特に好ましい
【００１７】
センブリエキスは、
皮膚の毛細血管を拡張して血行を促進する
酢酸ｄ，ｌ−α−トコフェロールは、ビタミンＥの脂肪酸エステルで、皮膚の毛細血管を拡張して血行を促進する他、抗酸化作用も有する
【００１８】本発明に使用される
毛包賦活剤としては、
チクセツニンジンエキス、チョウセンニンジンエキス
アデノシン三リン酸ジナトリウム
パンテノール
【００１９】
パンテノール
は、
毛包内の毛母細胞の機能を改善する
　（4-iii）「【００２３】ここで用いられる
保湿剤としては、
ゴボウエキス
抗菌剤としては、イソプロピルメチルフェノール
局所刺激剤としては、オランダガラシエキス
１−メントール
抗炎症剤としては、オウゴンエキス
カミツレエキス
【００２４】本発明の育毛剤には上記成分の他に、本発明の効果を損なわない範囲内で、医薬部外品、医薬品、化粧品等に一般的に用いられる各種成分、ゲル化剤、ポリオキシエチレン硬化ヒマシ油等の乳化剤、増粘剤、防腐剤、パラヒドロキシ安息香酸エステル等の酸化防止剤、香料、染料等の着色剤を添加配合することが出来る。」（段落【００２３】〜【００２４】参照）
　（4-iv）「【００４０】＜実施例９＞　【表４】
」（段落【００４０】参照）
　
［引用例５］
　（5-i）「【請求項１】
毛周期における休止期の毛髪を同成長期に移行させる作用を有する成分、及び同成長期を維持若しくは延長する作用を有する成分を有効成分とする育毛剤
【請求項２】毛周期における成長期を維持若しくは延長する作用を有する成分が、毛包上皮系細胞を増殖させる活性を有する成分である、請求項１記載の育毛剤。
【請求項３】
毛包上皮系細胞を増殖させる活性を有する成分が、
ヒキオコシ抽出物
アルニカ抽出物
ダイズ抽出物
の育毛剤
　（5-ii）「【００１２】ゲンチアナ（リンドウ，Gentiana lutea L.)の抽出物（通常は，根又は根茎から抽出）；ホップ(Humulus luplus L.) の抽出物〔通常は，雌花穂（球果）から抽出〕；
ヒキオコシ〔ヤマハッカ属に属するヒキオコシ（Isodon japonicus Hara)又はこれの変種若しくは亜種〕の抽出物
アルニカ(Arnica montana L.) の抽出物
ダイズ(Glycine max Merril)の抽出物
　（5-iii）「【００２０】この
成長期移行成分としては、
カモミラ〔カミツレ（Matricaria chamomilla L.）〕の抽出物
ニンジン〔オタネニンジン(Panax schinseng) 又はこれの変種若しくは亜種〕の抽出物
【００２１】ハッカ〔Mentha arvensis L. var. pioerascens Hara) 又はこれの変種若しくは亜種〕の抽出物（全草から抽出可）；アセンヤク〔アセンヤクノキ(Acacia catechu Willd.) 又はこれの変種若しくは亜種〕の抽出物（通常は，心材から抽出）；タイソウ〔ナツメ(Zizyphus vulgaris Lam. var. inermis Bunge) 又はこれの変種若しくは亜種の果実〕の抽出物；チョウジ〔チョウジ(Eugenia caryophyllata Thumb.)又はこれの変種若しくは亜種〕の抽出物（ツボミ，果実，幹，樹皮等から抽出）；トウヒ〔ダイダイ(Citrus aurantium L. subsp. amara Engl.)又はこれの変種若しくは亜種の成熟した果皮〕；コショウ科(Piperaceae)に属する植物で、ピパーレトロフラクタム(Piper retrofractum Vahl.)とみなされている植物の抽出物であるチャベ・ジャワ(Cabe Jawa) の抽出物；
ニンジン（オタネニンジン）の抽出物
ダイズ抽出物
【００２２】さらに、
ボタンピ抽出物
センブリ抽出物
マツ抽出物
チクセツニンジン抽出物
ニンニク抽出物
ゴボウ抽出物
【００２３】カッコウアザミ抽出物，ダイオウ抽出物，センソ抽出物，シャゼンシ抽出物，ゴバイシ抽出物，ドッカツ抽出物，キョウカツ抽出物，ジャショウ抽出物，ボウキ抽出物，ボウキ抽出物，ボウフウ抽出物，コウホン抽出物，ジオウ抽出物，トシシ抽出物，カシュウ抽出物，ビャクシ抽出物，アギ抽出物，コズイ抽出物，ヌルデ抽出物，ネムノキ抽出物，ショウマ抽出物，センボウ抽出物，サソウ抽出物，タクシャ抽出物，テンマ抽出物，トウジン抽出物，ドケイヒ抽出物，ナンショクシャシャンボ抽出物，リュウガン，タイム抽出物，セージ抽出物，ラベンダー抽出物，ジュニバー抽出物，シダーウッド抽出物，レモン抽出物，ゼラニウム抽出物，スピルリナ抽出物，クロマメ抽出物，コクリュウガン抽出物，アオギリ抽出物，マンネンログ抽出物，ウバイ抽出物，イラクサ抽出物，オオクリハラン抽出物，オオギ抽出物，オウロ抽出物，カッコン抽出物，グバク抽出，ゲドクシ抽出物，ゴカヒ抽出物，コソウ抽出物，ゴミシ抽出物，コブシ抽出物，コノテガシワ抽出物，サンキュウ抽出物，チンピ抽出物，テウチグルミ抽出物，セイコウ抽出物，サンショウ抽出物，ドクヨウ抽出物，イッシカ抽出物，ショウバク抽出物，シラカバ抽出物，ニレ抽出物，リョウキョウ抽出物，ヨチシ抽出物，ホコツシ抽出物，トウヨウ抽出物，ヒャクゴウ抽出物，レン抽出物，モクセイ抽出物，ハンミョウ抽出物，フヒョウ抽出物，マクワウリ抽出物，ハクコウ抽出物，ハンゲ抽出物，ハクセン抽出物，ハクショウ抽出物，ハクヨウ抽出物，アカメガシワ抽出物，アルテア抽出物，
オドリコソウ抽出物
シナノキ抽出物
セイヨウキズタ抽出物
等を挙げることができるが、これらの成分に限定されるものではない
　（5-iv）「【００３３】
本発明育毛剤においては、
一般的に用いられる各種油性若しくは水性成分，保湿剤，増粘剤，防腐剤，酸化防止剤，香料，色剤，各種薬剤等を配合することができる
【００３４】例えば、高級脂肪酸，固形パラフィン，流動パラフィン，シリコーン油，スクワラン，モノオレイン酸グリセリル，オリーブ油，イソプロピルミリステート，高級脂肪酸，高級アルコール等の油分；グリセリン，ヒアルロン酸，プロピレングリコール，マルチトール，アテロコラーゲン，乳酸ナトリウム等の保湿剤；マルメロ粘質物，カルボキシビニルポリマー，キサンタンガム等の増粘剤；ニコチン酸アミド，ニコチン酸ベンジル，
ビタミンＥアセテート
センブリ抽出物
セリン，メチオニン，アルギニン等のアミノ酸類
メントール等の清涼剤
等を配合することができる
　（5-v）「【００５９】Ｆ．結果：測定した上記各対象物質における、上記細胞増殖度を下記第１表に示す。
【表１】
【００６０】この結果より、上記成分に毛包上皮系培養細胞の増殖活性が確かに認められた。すなわち、上記成分には毛髪上皮系細胞の分裂増殖活性の維持による、毛髪における成長期の維持，延長作用が認められることが明らかになった。」（段落【００５９】〜【００６０】参照）
　（5-vi）「【００６１】〔試験例２〕Ｃ３Ｈマウスを用いた発毛試験法
対象物質の成長期への移行作用を評価するためのin vivo の試験について説明する。
１．試験試料：対象物質の抽出物の市販品（チャベ・ジャバ，カモミラ，シャクヤク，
オタネニンジン
ダイズ
ボタンピ
マツ
【００６２】２．方法：８週齢のＣ３Ｈ／ＨｅＮＣｒｊマウス（チャールズリバー社）を１群１０匹とし、背部毛を約２×４cmの大きさに電気バリカンを用いて毛刈りした。対象物質は、１日１回０．１mlずつ毛刈り部位に塗布した。
【００６３】３．効果の判定：塗布開始後３週目より、１週間に１回毛刈り部位の写真撮影を行い、写真をもとに毛刈り部位と毛の再生面積をデジタイザーで測定し、次式に従い毛再生面積比を測定した。
【数３】　毛再生面積比（％）＝（発毛した部位の面積／毛刈り部位の面積）×１００
【００６４】また、この判定結果を第２表に示す。
【表２】
この結果により上記成分には、明らかに成長期移行作用が認められた。」（段落【００６１】〜【００６４】参照）
　（5-vii）「【００６７】〔実施例１〕  液状
育毛剤
上述したコンフリーの３０％エタノール乾燥物０．０５％と、カモミラの水抽出乾燥物０．０５％を、７０％
エタノール
硬化ヒマシ油エチレンオキシド（４０モル）付加物
　
［引用例６］
　（6-i）「【請求項１】　
養毛効果を有する物質の少なくとも一種
を配合してなる養毛料
　（6-ii）「【００１０】
養毛効果を有するアミノ酸あるいはその誘導体としては、毛髪等の蛋白合成に関与するといわれるＬ−メチオニン
【００１１】また、
皮膚の機能代謝おける有用な栄養補給成分とされるＬ−セリン
【００１２】更に、
皮膚の保湿機能を改善維持するＮＭＦ（ｎａｔｕｒａｌ  ｍｏｉｓｔｕｒｉｚｉｎｇ  ｆａｃｔｏｒ）成分といわれる、グリシン
　（6-iii）「【００１５】
養毛効果を有する血行促進作用および／または毛母細胞賦活作用を有する成分としては、センブリ抽出液
朝鮮人参抽出液、竹節人参抽出液
ビタミンＥアセテート
Ｄ−パントテニルアルコール
　（6-iv）「【００１８】
養毛効果を有する殺菌剤としては、
イソプロピルメチルフェノール
　（6-v）「【００５９】実施例２  ヘアートニック
【００６０】　【表５】・・・略・・・
【００６１】ビサボレン、香料、
イソプロピルメチルフェノール
ポリオキシエチレン硬化ヒマシ油６０Ｅ．Ｏ．
エタノール
人参抽出液
精製水
　（6-vi）「【００６２】実施例３  ヘアーフォーム
【００６３】　【表６】・・・略・・・
【００６４】セタノール、ポリオキシエチレンソルビタンラウリルエステル２０Ｅ．Ｏ．、クエン酸トリエチル、メチルフェニルポリシロキサン、パラベン、ニコチン酸アミド、カリオフィレン、附子抽出物 を加温溶解し、ジプロピレングリコール、
Ｌ−セリン
精製水
　
［引用例７］
　（7-i）「【請求項２】  ミカン（Citrus）属に属する植物の葉の抽出物より選択した１種又は２種以上と、シャクヤク（Paeonia lactiflora Pall.）及びその近縁植物の抽出物、
シナノキ（Tilia）属に属する植物の抽出物
の各抽出物より選択した１種又は２種以上を含有して成る、育毛剤
　（7-ii）「【０００４】さらに、最近では毛乳頭細胞を活性化したり、毛周期の調整効果を有するものが開示されている。前者には、柑橘類果皮由来ペプチド（特開平９−２０２７１６），オウギ，オウレン，カシュウ等の抽出物（特開平９−２０８４３１）などのように、毛乳頭細胞の増殖を促進したり、
ボタンピ抽出物
アルニカ，オウゴン
などのように、毛乳頭活性化作用を有するもの
　（7-iii）「【００３０】
  ［実施例１〜実施例５］  ヘアートニック
（１）
エタノール
（２）ヒノキチオール　　　　　　　　　　　　０．０１
（３）ビタミンＢ６　　　　　　　　　　　　　０．２０
（４）
酢酸トコフェロール
（５）プロピレングリコール　　　　　　　　　２．００
（６）
表１に示す植物抽出物
（７）香料　　　　　　　　　　　　　　　　　０．１０
（８）ポリオキシエチレン(20E.O.)ソルビタン　０．１０
　　　モノラウリン酸エステル
（９）
精製水
製法：(1)に(2)〜(8)を順次加えて溶解した後、(9)を加えて均一に溶解する。
【００３１】　【表１】
」（段落【００３０】〜【００３１】参照）
　
［引用例８］
　（8-i）「【請求項１】  没食子酸、またはその誘導体から選ばれる１種または２種以上を配合することを特徴とする
養育毛組成物
　（8-ii）「【０００３】従来、各種薬剤を配合した養育毛組成物が知られている。例えば、合成による化合物であるミノキシジル、アロキサジン、ピリジンＮ−オキシド、アデノシン−３’，５’−サイクリックモノホスフェート等（特開昭６４−５６６０８、特開平１−２６１３２１、特開平２−２０４４０６）、生薬のヨクイニン、イチョウ、カシュウ等の抽出物（特公平１−１３４５１、特開平２−４８５１２、特開平２−４８５１４）、
血流循環改善効果を有するビタミンＥ類やセンブリエキス
栄養補給剤となるアミノ酸のシステインやメチオニン
【０００４】また更に、これらの有効成分を脱毛の様々な原因に対応して適宜組み合わせた養育毛組成物が開発されており、脱毛症の予防及び／又は治療に用いられている。従来の養育毛組成物はフケ、カユミの改善や、抜け毛などの予防に有効で、発毛や育毛を促進するとされているが、非常に個人差が大きく、作用も十分とはいえないため、いまだ満足すべき効果を発揮するものは得られていない。それゆえ、より効果の高い新たな養育毛組成物の開発が求められている。」（段落【０００３】〜【０００４】参照）
　（8-iii）「【００１０】
本発明の養育毛組成物に、効果増強のためにさらに他の養育毛成分を配合することができる
【００１１】本発明には、
さらに他の植物抽出物や薬剤も適宜配合することができる
マツ
ニンニク
ゴボウ
　（8-iv）「【００２４】
［実施例３１］　　養育毛リンス
没食子酸−３，５−ジグルコシド　　　　　　　　０．５
塩化ステアリルトリメチルアンモニウム　　　　　１．０
塩化ジステアリルジメチルアンモニウム　　　　　０．５
セトステアリルアルコール　　　　　　　　　　　３．０
ＰＯＥ（５）ステアリルエーテル　　　　　　　　１．５
流動パラフィン　　　　　　　　　　　　　　　　１．０
環状シリコン（デカメチルペンタシロキサン）　　０．５
人参エキス
パラベン　　　　　　　　　　　　　　　　　　　０．１
香料＊　　　　　　　　　　　　　　　　　　　　０．１
精製水
合計　　　　　　　　　　　　　　　　　　　１００．０％
＊香料は別表１記載のものを使用した。」（段落【００２４】参照）
　（8-v）「【００２７】
［実施例３４］　　
養育毛剤
没食子酸エチル−３，５−ジグルコシド　　　　　１．０
ＰＯＥ（１０）オレイルエーテル　　　　　　　　２．０
酢酸ＤＬ−α−トコフェロール
蔗糖ミリスチン酸エステル　　　　　　　　　　　０．５
ビオチン　　　　　　　　　　　　　　　　　　　０．００２
コハク酸　　　　　　　　　　　　　　　　　　　０．３
センブリエキス
ヒノキチオール　　　　　　　　　　　　　　　　０．１
Ｌ−メントール
メチルパラベン　　　　　　　　　　　　　　　　０．１
エタノール
香料＊　　　　　　　　　　　　　　　　　　　　適量
精製水
合計　　　　　　　　　　　　　　　　　　　　１００．０％
＊香料は別表１記載のものを使用した。」（段落【００２７】参照）
　（8-vi）「【００２９】
［実施例３６］　エアゾールフォームタイプ
育毛剤
（原液）
ＥＯ変性シリコーン　　　　　　　　　　　　　　４．０
没食子酸メチル−３−グルコシド　　　　　　　　２．０
ピロクトンオラミン　　　　　　　　　　　　　　０．５
オレイン酸エチル　　　　　　　　　　　　　　　３．０
両性ポリマー＊１　　　　　　　　　　　　　　　１．０
塩化ステアリルトリメチルアンモニウム　　　　　０．５
ＰＯＰ（９）ジグリセリルエーテル
モノオレイン酸酸ＰＯＥ（２０）ソルビタン　　　０．５
香料＊２　　　　　　　　　　　　　　　　　　　０．２
エタノール
精製水
計　　　　　　　　　　　　　　　　　　　　　８０．０
（ガス）
ＬＰＧ　　　　　　　　　　　　　　　　　　　１０．０
ＤＭＥ　　　　　　　　　　　　　　　　　　　１０．０
　合計　　　　　　　　　　　　　　　　　　１００．０％
＊１：Ｎ−メタクリロイルオキシエチルＮ，Ｎ−ジメチルアンモニウム−α−Ｎ−メチルカルボキシベタイン・メタクリル酸アルキルエステル共重合体
＊２：香料は別表２記載のものを使用した。（段落【００２９】参照）
　（8-vii）「【００３０】
［実施例３７］　
育毛
アミノ変性シリコーン　　　　　　　　　　　　　　　３．０
没食子酸プロピル−３−グルコシド　　　　　　　　　２．０
ペンタデカン酸モノグリセリド　　　　　　　　　　　３．０
ポリビニルピロリドン　　　　　　　　　　　　　　　０．４
カチオン化セルロース　　　　　　　　　　　　　　　０．５
ＰＯＰ（１４）ジグリセリルエーテル
アルギニン　　　　　　　　　　　　　　　　　　　　０．５
ソルビット液　　　　　　　　　　　　　　　　　　　２．５
塩化ステアリルトリメチルアンモニウム　　　　　　　０．５
ＰＯＥ（５０）硬化ヒマシ油
オキシベンゾンスルホン酸　　　　　　　　　　　　　０．１
メチルパラベン　　　　　　　　　　　　　　　　　　０．１
ジブチルヒドロキシトルエン　　　　　　　　　　　　０．０５
香料＊　　　　　　　　　　　　　　　　　　　　　　０．５
緑色３号　　　　　　　　　　　　　　　　　　　　　　微量
クエン酸（ｐＨを６に調整）　　　　　　　　　　　　 適量
エタノール
精製水
合計　　　　　　　　　　　　　　　　　　　　　　１００．０％
＊香料は別表３記載のものを使用した。」（段落【００３０】参照）
　（8-viii）「【００３４】
［実施例４１］　ハリコシ付与、
ふけ防止育毛剤
没食子酸プロピル−３−グルコシド　　　　　　　　　　２．０
プロピレングリコール　　　　　　　　　　　　　　　　８．０
ラウリル硫酸ナトリウム　　　　　　　　　　　　　　　０．１
Ｄ−ソルビトール　　　　　　　　　　　　　　　　　　０．５
β−グリチルレチン酸　　　　　　　　　　　　　　　　０．５
センブリエキス
クジンエキス　　　　　　　　　　　　　　　　　　　　４．０
イソプロピルメチルフェノール
キトフィルマー　　　　　　　　　　　　　　　　　　　０．１
メチルパラベン　　　　　　　　　　　　　　　　　　　０．０１
エタノール
香料＊　　　　　　　　　　　　　　　　　　　　　　　０．２
精製水
合計　　　　　　　　　　　　　　　　　　　　　　　１００．０％
＊香料は別表１記載のものを使用した。
【００３５】
［実施例４２］頭皮清浄化
育毛剤
没食子酸−３，４−ジグルコシド　　　　　　　　　　　０．５
ソルビット　　　　　　　　　　　　　　　　　　　　　４．０
ジプロピレングリコール　　　　　　　　　　　　　　　６．０
ＰＥＧ＃１５００　　　　　　　　　　　　　　　　　　５．０
ＰＯＥ（２０）オレイルエーテル　　　　　　　　　　　０．５
ショ糖脂肪酸エステル　　　　　　　　　　　　　　　　０．５
メチルセルロース　　　　　　　　　　　　　　　　　　０．２
クエン酸　　　　　　　　　　　　　　　　　　　　　　０．０１
クエン酸ナトリウム　　　　　　　　　　　　　　　　　０．２５
グリチルリチン酸ジカリウム　　　　　　　　　　　　　０．０５
ＤＬ−カンフル　　　　　　　　　　　　　　　　　　　０．２
オランダカラシエキス
香料＊　　　　　　　　　　　　　　　　　　　　　　　０．０５
精製水
合計　　　　　　　　　　　　　　　　　　　　　　１００．０％
＊香料は別表３記載のものを使用した。
【００３６】
［実施例４３］　　
育毛
没食子酸エチル−３−マルトシド　　　　　　　　　　１．０
グリセリルエーテル　　　　　　　　　　　　　　　　１．５
ショ糖脂肪酸エステル　　　　　　　　　　　　　　　１．５
モノステアリン酸ソルビタン　　　　　　　　　　　　１．０
流動パラフィン　　　　　　　　　　　　　　　　　　５．０
ミリスチン酸イソプロピル　　　　　　　　　　　　　３．０
ジプロピレングリコール　　　　　　　　　　　　　　５．０
ピロクトンオラミン　　　　　　　　　　　　　　　　０．０５
塩酸ピリドキシン　　　　　　　　　　　　　　　　　０．１
オドリコソウエキス
香料＊　　　　　　　　　　　　　　　　　　　　　　０．１
精製水
合計　　　　　　　　　　　　　　　　　　　　　　１００．０％
＊香料は別表１記載のものを使用した。」（段落【００３４】〜【００３６】参照）
　（8-ix）「【００４２】
［実施例４９］　　毛髪成長期延長剤
Ｄ−パントテニルアルコール
没食子酸−４−グルコシド　　　　　　　　　　　　　０．２
酢酸トコフェロール
Ｌ−メントール
グリチルリチン酸アンモニウム　　　　　　　　　　　０．０５
オスモインエキス　　　　　　　　　　　　　　　　　１．０
ミリスチン酸デカグリセリル　　　　　　　　　　　　０．５
エタノール
精製水
合計　　　　　　　　　　　　　　　　　　　　　１００．０％」（段落【００４２】参照）
　
［引用例９］
　（9-i）「【請求項２】
シソ科植物抽出物が、
ヒキオコシ
オドリコソウ
ローズマリー
オウゴン
溶媒抽出物から選ばれる
頭髪化粧料
　（9-ii）「【００１９】
    ［実施例１〜７、比較例１〜５］
  下記組成の頭髪化粧料について、表１の記載に基づいて調製し、
フケ、カユミ、炎症の抑制効果
＜フケ・カユミ・炎症防止効果＞
頭皮のフケ・カユミ・炎症を訴える男性パネラー２０名が１ヵ月、表１に示す頭髪化粧料を使用した。使用開始時と使用１ヵ月後における、フケ・カユミ・炎症の防止、軽減効果を皮膚科医による目視判定とパネラーへのアンケートで５段階（著効果、有効、やや有効、無効、悪化）で評価した。やや有効以上の評価の率を有効率とした。
【００２０】【表１】
」（段落【００１９】〜【００２０】参照）
　（9-iii）「【００２４】
実施例１０　（
養育毛剤
　酢酸ラウリン酸アミドブチルグアニジン　　　　１．０
　ミノキシジル　　　　　　　　　　　　　　　　１．０
　ＰＯＥ（10）オレイルエーテル　　　　　　　　２．０
　
酢酸ＤＬ−α−トコフェロール
　蔗糖ミリスチン酸エステル　　　　　　　　　　０．５
　ビオチン　　　　　　　　　　　　　　　　　　０．００２
　コハク酸　　　　　　　　　　　　　　　　　　０．３
　
センブリエキス
　ヒノキチオール　　　　　　　　　　　　　　　０．１
　メリッサ抽出物　　　　　　　　　　　　　　　１．０
　メクタイト　　　　　　　　　　　　　　　　　０．５
　オレイン酸エチル　　　　　　　　　　　　　　２．０
　
ｌ−メントール
　メチルパラベン　　　　　　　　　　　　　　　０．１
　
エタノール
　香料　＊　　　　　　　　　　　　　　　　　　適量
　
精製水
　合計　　　　　　　　　　　　　　　　　　１００．０
　　＊香料は特開2003-113019号公報記載の表2のＡ組成を使用」（段落【００２４】参照）
　（9-iv）「【００２５】
実施例１１　（
育毛
　(原液)
　
ＰＯＥ(40)硬化ヒマシ油
　Ｎ−ペンタデカノイルイソロイシン　　　　　　　０．３
　ラウリン酸ソルビタン　　　　　　　　　　　　　１．０
　両性ポリマー＊　　　　　　　　　　　　　　　　０．５
　
ローズマリー抽出物
　ナイロンパウダー　　　　　　　　　　　　　　　１．０
　クエン酸　　　　　　　　　　　　　　　　　　　０．１
　蔗糖ラウリン酸エステル　　　　　　　　　　　　２．５
　
ｌ−メントール
　
エタノール
　
精製水
　合計　　　　　　　　　　　　　　　　　　　　８０．０
　（ガス）
　ＬＰＧ　　　　　　　　　　　　　　　　　　　２０．０
　合計　　　　　　　　　　　　　　　　　　　１００．０
　　　＊　Ｎ−メタクリロイルエチル−N,N−ジメチルアンモニウム−α−N−メチルカルボキシベタイン・メタクリル酸アルキル共重合体」（段落【００２５】参照）
　（9-v）「【００２７】
実施例１３　（
育毛
　ペンタデカン酸モノグリセリド　　　　　　　　　３．０
　ポリビニルピロリドン　　　　　　　　　　　　　０．４
　カチオン化セルロース　　　　　　　　　　　　　０．５
　
ＰＯＰ（14）ジグリセリルエーテル
　アルギニン　　　　　　　　　　　　　　　　　　０．５
　
ヒキオコシ抽出物
　ポリエチレンパウダー　　　　　　　　　　　　　１．０
　ソルビット液　　　　　　　　　　　　　　　　　２．５
　
ＰＯＥ（５０）硬化ヒマシ油
　オキシベンゾンスルホン酸　　　　　　　　　　　０．１
　メチルパラベン　　　　　　　　　　　　　　　　０．１
　ジブチルヒドロキシトルエン　　　　　　　　　　０．０５
　香料　＊　　　　　　　　　　　　　　　　　　　０．５
　緑色３号　　　　　　　　　　　　　　　　　　　　微量
　クエン酸（ｐＨを６に調整）　　　　　　　　　　　適量
　
エタノール
　
精製水
　合計　　　　　　　　　　　　　　　　　　　　１００．０
　　＊　香料は特開2003-113019号公報記載の表2のＤ組成を使用」（段落【００２７】参照）
　（9-vi）「【００３０】
実施例１６　（ハリコシ付与、ふけ防止
育毛剤
　ピロクトンオラミン　　　　　　　　　　　　　　０．１
　プロピレングリコール　　　　　　　　　　　　　８．０
　ラウリル硫酸ナトリウム　　　　　　　　　　　　０．１
　Ｄ−ソルビトール　　　　　　　　　　　　　　　０．５
　β−グリチルレチン酸　　　　　　　　　　　　　０．５
　コレウス・フォルスコリイ抽出物　　　　　　　　１．０
　ナイロンパウダー　　　　　　　　　　　　　　　１．０
　
センブリエキス
　クジンエキス　　　　　　　　　　　　　　　　　４．０
　
イソプロピルメチルフェノール
　キトフィルマー　　　　　　　　　　　　　　　　０．１
　メチルパラベン　　　　　　　　　　　　　　　　０．０１
　エタノール　　　　　　　　　　　　　　　　　５０．０
　香料　＊　　　　　　　　　　　　　　　　　　　０．２
　精製水　　　　　　　　　　　　　　　　　　　　　残部
　合計　　　　　　　　　　　　　　　　　　　　１００．０
　　＊　香料は特開2003-113019号公報記載の表2のＣ組成を使用」（段落【００３０】参照）
　（9-vii）「【００３１】
実施例１７　（頭皮清浄化
育毛剤
　ピロクトンオラミン　　　　　　　　　　　　　０．１
　ソルビット　　　　　　　　　　　　　　　　　４．０
　ジプロピレングリコール　　　　　　　　　　　６．０
　ＰＥＧ1500 　　　　　　　　　　　　　　　　　５．０
　ＰＯＥ（20）オレイルエーテル　　　　　　　　０．５
　ショ糖脂肪酸エステル　　　　　　　　　　　　０．５
　メチルセルロース　　　　　　　　　　　　　　０．２
　メリッサ抽出物　　　　　　　　　　　　　　　１．０
　ポリエチレンパウダー　　　　　　　　　　　　０．５
　クエン酸　　　　　　　　　　　　　　　　　　０．０１
　クエン酸ナトリウム　　　　　　　　　　　　　０．２５
　グリチルリチン酸ジカリウム　　　　　　　　　０．０５
　ＤＬ−カンフル　　　　　　　　　　　　　　　０．２
　
オランダカラシエキス
　香料　＊　　　　　　　　　　　　　　　　　　０．０５
　
精製水
　合計　　　　　　　　　　　　　　　　　　１００．０
　　＊　香料は特開2003-113019号公報記載の表2のＤ組成を使用」（段落【００３１】参照）
　（9-viii）「【００３２】
実施例１８　（
育毛
　グリセリルエーテル　　　　　　　　　　　　　　１．５
　ショ糖脂肪酸エステル　　　　　　　　　　　　　１．５
　モノステアリン酸ソルビタン　　　　　　　　　　１．０
　流動パラフィン　　　　　　　　　　　　　　　　５．０
　ミリスチン酸イソプロピル　　　　　　　　　　　３．０
　ジプロピレングリコール　　　　　　　　　　　　５．０
　ピロクトンオラミン　　　　　　　　　　　　　　０．０５
　塩酸ピリドキシン　　　　　　　　　　　　　　　０．１
　
オドリコソウ抽出物
　コレウス・フォルスコリイ抽出物　　　　　　　　０．５
　ナイロンパウダー　　　　　　　　　　　　　　　１．０
　香料　＊　　　　　　　　　　　　　　　　　　　０．１
　
精製水
　合計　　　　　　　　　　　　　　　　　　　　１００．０
　　＊　香料は特開2003-113019号公報記載の表2のE組成を使用」（段落【００３２】参照）
　（9-ix）「【００３５】
実施例２１　（発毛剤）
　ミノキシジル　　　　　　　　　　　　　　　　　　１．０
　
酢酸トコフェロール
　モノミリスチン酸ペンタグリセリン　　　　　　　　１．０
　モノラウリン酸ソルビタン　　　　　　　　　　　　０．５
　ヒノキチオール　　　　　　　　　　　　　　　　　０．１
　ラウリル硫酸ナトリウム　　　　　　　　　　　　　０．２
　カンフル　　　　　　　　　　　　　　　　　　　　０．０２
　ラウリルジメチルアミンオキシド　　　　　　　　　０．１
　
ローズマリー抽出物
　シリコーンパウダー　　　　　　　　　　　　　　　０．５
　ペパーミントエキス　　　　　　　　　　　　　　　０．５
　スペアミントエキス　　　　　　　　　　　　　　　０．５
　香料　＊　　　　　　　　　　　　　　　　　　　　０．２
　
エタノール
　
精製水
　合計　　　　　　　　　　　　　　　　　　　　　１００．０
　　＊　香料は特開2003-113019号公報記載の表2のＡ組成を使用」（段落【００３５】参照）
　（9-x）「【００４０】
実施例２６　（
毛髪成長期延長剤
　
Ｄ−パントテニルアルコール
　
酢酸トコフェロール
　
ｌ−メントール
　グリチルリチン酸アンモニウム　　　　　　　　　　０．０５
　
ヒキオコシ抽出物
　オトギリソウ抽出物　　　　　　　　　　　　　　　５．０
　ナイロンパウダー　　　　　　　　　　　　　　　　１．０
　シリコーンパウダー　　　　　　　　　　　　　　　１．０
　ミリスチン酸デカグリセリル　　　　　　　　　　　０．５
　
エタノール
　
精製水
　合計　　　　　　　　　　　　　　　　　　　　１００．０」（段落【００４０】参照）
　
［周知図書Ａ］
　（A-i）「３．育毛剤の原料
３−１．基本構成
　
育毛剤はエタノール水溶液に各種の有効成分を添加した外用剤であり
３−２．有効成分
　育毛剤の対象となる脱毛の原因としては，毛乳頭および毛包部への血流の低下，毛母細胞の機能低下，男性ホルモンの関与，皮脂腺機能の過剰亢進などが考えられている。このような原因に対して
育毛剤には血行促進，細胞賦活，抗男性ホルモン，皮脂分泌抑制，殺菌，抗炎症などの作用を有する成分が配合されている。育毛剤に配合されている有効成分について，その作用別に表３に示す。これらの有効成分の種類や配合量の範囲は薬事法で定められており，その範囲内でさまざまな有効成分が組み合わされて配合されている
　最近の新規有効成分としては，大正製薬の「リアップ」に配合されたミノキシジルがある。ミノキシジルは，経口降圧剤としての臨床試験中偶然に副作用として多毛が見られたことから開発されたもので，休止期毛包刺激効果と矮小化毛包の改善効果により発毛作用を発揮すると考えられている２）。
」（第３６５頁１行〜第３６６頁表３参照）
　（A-ii）「３−３．保湿剤
　頭皮が乾燥すると柔軟性が低下し，頭皮下の血流量も減少して毛髪の成長環境が悪化し脱毛につながる。頭皮に潤いを与えて柔軟にするため，
保湿剤は有効成分とともに重要な配合成分である。また，生薬をはじめとする種々の植物エキスなどに育毛効果が見出されている
３−４．新規植物成分
　
生薬をはじめとする種々の植物成分が育毛素材として開発されている
オイゲニルグルコシド
　また最近の育毛剤に関する特許出願についても植物成分を利用するものが多数を占めているが，内容的には海外を原産とする植物や，既存のエキスと有効成分との組み合わせ，または何らかの特徴のある物質を加えた配合特許が多くなっている。これらの植物成分のほとんどは抗男性ホルモン作用，血行促進，毛母細胞活性化などを訴求しているが，作用メカニズムや効果を発揮する成分については不明なものが多い。表４に最近の特許にみられる植物の一部について示した。
　表４　・・・略・・・」（第３６６頁表の下１行第３６７頁下から１１行参照）
　（A-iii）「５．処方と製造方法
　液状タイプ育毛剤と，エアゾールタイプ育毛剤について処方例と製造方法を示す。
　液状タイプ育毛剤
〈処方例〉
　
酢酸dl-α-トコフェロール
　
センブリエキス
　パントテニルエチルエーテル　　　　　　　　規定量
　
イソプロピルメチルフェノール
　香料　　　　　　　　　　　　　　　　　　　適　量
　界面活性剤　　　　　　　　　　　　　　　　適　量
　
エタノール
　
ブチレングリコール
　
精製水
〈製造方法〉
　常温で攪拌しながらエタノールに酢酸dl-α-トコフェロールから界面活性剤までの各成分を順次加えて溶解させる。精製水にブチレングリコールを加えて溶解した後，エタノール相に加えて均一にしたのち，ろ過する。
　エアゾールタイプ育毛剤
〈処方例〉（原液）
　
1−メントール
　β−グリチルレチン酸　　　　　　　　　　　規定量
　パントテニルエチルエーテル　　　　　　　　規定量
　ヒノキチオール　　　　　　　　　　　　　　規定量
　
エタノール
　グリセリン　　　　　　　　　　　　 　　　　　2.0
　
精製水
〈処方例〉（充填）
　上記の原液　　　　　　　　　　　　　　　　　50.0
　DME　　　　　　　　　　　　　　　　　　　　50.0
〈製造方法〉
　原液の製造方法は液状タイプ育毛剤と同じである。充填は，缶に原液を充填し，バルブを装着後，噴射ガスを充填する。」（第３７１頁８行〜第３７２頁１１行参照）
　
［周知図書Ｂ］
　（B-i）「育毛剤[hair growth promoting product,　hair growth promoter]
　
一般に，アルコール水溶液に各種の薬効成分，保湿剤，油分，香料，色素，可溶化剤などを添加した外用剤で，頭部に用いて頭皮機能を正常化し，また頭皮の血液循環を良好にして毛包の機能を高めることにより，発毛，育毛促進および脱毛防止，同時にふけやかゆみを防止するもの．一般に用いられているおもな有効成分は，血行促進剤，毛母細胞賦活剤，抗男性ホルモン剤，抗炎症剤，ふけ抑制剤，頭皮の鎮痒剤，頭皮の保湿剤，頭皮の浸透促進剤がある(表)．配合成分の種類や配合量，効能効果の差異によって化粧品，医薬部外品，一般医薬品，医療用医薬品の４種類に分けられる
　(1)血行促進剤[blood circulation accelerator]　
　毛髪は毛母細胞＊の分裂増殖とその分化によって成長するため，毛成長を維持するには毛包部への血液供給が重要である．血液が局所の細胞に栄養を供給し，老廃物を取り除く役割をもつためである．男性型脱毛症や円形脱毛症を含む脱毛症＊の頭皮では毛細血管機能が低下するとされており，とくに円形脱毛症の場合は血管密度の顕著な減少が報告されている．育毛剤に配合されている代表的な末梢血管拡張剤あるいは毛根刺激剤には，塩化カルプロニウム，トコフェロール(ビタミンＥ)および
酢酸トコフェロール
センブリエキス
ニンニクエキス
　また，臨床試験報告がなされている血管拡張剤としては，ミノキシジル，・・・（後略）。
　(2)毛母細胞賦活剤[hair matrix cell augmenting agent]　
　育毛剤には毛包細胞への栄養補給，あるいは毛母細胞の酵素活性の賦活による毛成長の促進を目的として，ビタミン＊，アミノ酸＊，生理活性成分＊が配合されている．ビタミンとしては，ビタミンＡ(ビタミンＡアセテート)，ビタミンB1,  B2,  B6(塩酸ピリドキシン)，ジアルキルモノアミン誘導体，ビオチン，パントテン酸カルシウム，
パントテニルアルコール
アミノ酸としては，メチオニン
セリン
ビタミンは補酵素として毛が成長する過程に深く関与しており，ビタミンの欠乏により脱毛，毛成長の阻害あるいは毛の質的低下が起こることが知られている
　また，種々の生薬成分にも毛母細胞の分裂増殖・分化あるいは角化＊に影響を及ぼすものがあり，オトギリソウエキス，
オウゴン
ニンニクエキス，ニンジンエキス
　　(3)男性ホルモン[androgen]
　ステロイド骨格をもった物質のうち, C19-ステロイドとよばれるものの総称．ヒトにおいて，男性では１日に約6mgが，女性で約0.01mgが生合成される．男性ホルモンの主体であるテストステロンは，細胞内の5α−レダクターゼにより活性型の5α−ダイハイドロテストステロン(DHT)に変換され，男性ホルモン受容体(AR)と結合して二量体となり，さらに転写共役因子(コファクター)とも会合する．
　・・・（後略）。
　　(4)抗男性ホルモン剤[anti- androgen　agent]　
　男性型脱毛症が主として男性に発生することは以前から知られており，男性ホルモンが関連するとされている．この推定から育毛剤に配合する抗男性ホルモン(5α-レダクターゼ活性阻害および男性ホルモン受容体結合阻害)剤として，女性ホルモン＊であるエストラジオール，エチニルエストラジオールなどや，前立腺肥大症の治療薬であるフィナステリド, RU58841, LY-191704,オキセンドロンが考えられる．また，体内にある男性ホルモンに拮抗する作用を有する物質としては，スピロノラクトン，プロゲステロン，サイプロテロンアセテート，4−アンドロステン−3, 17−ジオンなどが，
植物由来エキスではオイゲニルグルコシド
　　(5)抗炎症剤[anti-inflammatory agent]
　頭皮の炎症をおさえることによって頭皮を良好な状態に保ち，脱毛を予防し，毛の成長を促進しようとする考え方から育毛剤に用いられる．やや消極的ではあるが脱毛の進行を抑制する点では合理的と考えられる．頭皮の炎症を抑制する抗炎症剤にはアズレン，アラントイン＊，グリチルリチン・グリチルレチンおよびその配糖体(グリチルリチン酸ジカリウムなど)，塩酸ジフェンヒドラミン，酢酸ヒドロコルチゾン，プレドニゾロンなどがあげられ，整髪剤にも配合されている．
　(6)ふけ抑制剤[anti-dandruff agents]
　男性型脱毛症の初期(脱毛が始まって１年以内)では85％に，中期(脱毛が始まって４年まで)では70％にふけが見られ，頭皮での軽い炎症が起こる．頭皮を清潔にしてこの炎症をおさえることは毛の成長によい環境を提供することになる．ふけ抑制剤としては，殺菌剤＊，角層溶解剤,抗脂漏剤(→皮脂分泌抑制剤)があげられる．殺菌剤としては，塩化ベンザルコニウム，塩化ベンゼトニウム，クロルヘキシジン，ヒノキチオール，フェノール，
イソプロピルメチルフェノール
　(7)頭皮の鎮痒剤[anti-pruritic agent for scalp]　
　育毛剤には頭皮のかゆみをおさえるため，鎮痒剤が配合される．鎮痒剤としてはアズレン，アラントイン，グリチルリチン・グリチルレチンおよびその配糖体(グリチルリチン酸ジカリウムなど)，塩酸ジフェンヒドラミン，酢酸ヒドロコルチゾン，プレドニゾロンなどがあげられる.
　(8)頭皮の保湿剤[moisturizer for scalp]
　保湿によって頭皮の状態を整えることで育毛効果を上げる場合がある．頭皮の保湿剤としては可溶性コラーゲン，グリセリン，コンドロイチン硫酸，ヒアルロン酸，ピロリドンカルボン酸，プロピレングリコール，ミニササニシキ抽出エキスなどがあげられる.
　(9)頭皮の浸透促進剤[percutaneous absorption promoting agent for scalp]　
　配合されている有効薬剤が皮膚へ浸透するのを高める薬剤を経皮吸収促進剤とよび，近年，注目を集めている．例として，ｌ−リモネン，ビサボロール，水素添加ビサボロール，
ｌ−メントール
　
［周知図書Ｃ］
　（C-i）「５．育毛剤に使用される成分
　
育毛剤には、つぎのような目的でさまざまな成分が使用されている
（１）　血管拡張および血流促進効果
　毛乳頭および毛包への栄養補給を円滑にするために，抹消血管に対して血管拡張効果及び血流促進効果をもつ
センブリ抽出物
（２）　頭皮刺激作用
　頭皮を刺激することによって，血管を拡張し，血行を改善させるためにトウガラシチンキ，カンタリスチンキ，
ｌ−メントール
（３）　男性ホルモンの阻害効果
　テストステロンからDHTへ変換する際に作用する酵素（5α−リダクターゼ）の活性を阻害することにより，男性ホルモンの生理作用を緩和させる目的で，エストラジオール，エチニルエストラジオールなどの女性ホルモンが使用されている．
（４）  皮脂分泌抑制効果
　過酸化物質やふけの発生の原因となる皮脂量の過剰な分泌を抑制し，頭皮および毛包周辺を清潔に保つために，塩酸ピリドキシンなどが使用されている．
（５）　角質溶解効果
　余分な角質を除去し，頭皮および毛包周辺を清潔に保つために，サリチル酸やレゾルシンなどが使用されている．
（６）　ふけ防止
　ふけの発生を放置しておくと，さらに悪化し，炎症を伴うようになり，発赤・かゆみが増大し，ついには脱毛へと進行する．そのため，ふけ防止のために，塩化ベンザルコニウム，塩化ベンゼトニウム，
イソプロピルメチルフェノールなどの殺菌剤
（７）　細胞賦括効果
　機能が低下した毛母細胞を賦活させ，発毛や毛の成長を促す目的で，パントテン酸およびその誘導体、プラセンタエキス，ビオチン，モノニトログアヤコール，感光素301などが使用されている．また，休止期の毛乳頭にエネルギーを与える目的で，ペンタデカン酸グリセリドが使用されている。
・・・
（８）
栄養補給
　抹消血管の循環障害などにより機能が低下した毛母細胞への栄養分として，各種ビタミン，
各種アミノ酸が使用されている
（９）抗炎症作用
　ふけの発生や，外界の刺激などにより起きた頭皮の炎症を抑制し，健常な状態に保つためにグリチルレチン酸，グリチルリチン酸ジカリウム塩やアンモニウム塩，アラントインなどが使用されている．
　・・・中略・・・
　現在，医薬部外品や医薬品に主剤として使用されている成分を表４・３〜４・５にまとめた．育毛剤に使用される成分の作用機序は図４・３のようにまとめられる．現在なお多くの研究がなされており，さまざまな視点から育毛に有効な成分が開発されている．
　このほか，最近の文献などに記載され，有効性が評価されている成分について，表４・６に少し説明を加える．」（第４７３頁右欄及び第４８５頁左欄参照）
　（C-ii）表４・３として、「育毛剤に使用される主剤（植物抽出物）」が記載され、育毛効果についても説明されているところ、
センブリエキス
ヨウ化ニンニクエキス（ニンニクのエタノール抽出物
　（C-iii）表４・４として、「育毛剤に使用される主剤（ビタミン類）」が記載され、育毛効果についても説明されているところ、
酢酸ｄｌ−α−トコフェロール
Ｄ−パントテニルアルコール
　（C-iv）表４・５として、「育毛剤に使用される主剤（そのほかの成分）」が記載され、育毛効果についても説明されているところ、
イソプロピルメチルフェノール
ｌ−メントール
　（C-v）表４・６として、「報告されている育毛のための有効成分」が記載され、効果などが説明されているところ、
オウゴン抽出物
　（C-vi）「１４．動植物抽出物」のタイトルのもと、「１９９５年現在の化粧品種別許可基準に記載されている植物抽出物を中心に，植物名，起源，抽出方法，主成分，効果を表１４・１にまとめた．」（第３３１頁左欄下から１１行〜下から９行参照）とし、「表１４・１　植物抽出物」が示されているところ、
アルニカエキス
オウゴンエキス
オドリコソウエキス
オランダカラシエキス
カロットエキス（ニンジン
ゴボウエキス
シナノキエキス
セイヨウキズタエキス
センブリエキス
ダイズエキス
ニンジンエキス
ニンニクエキス
ヒキオコシエキス
ボタンエキス
マツエキス
ローズマリーエキス
ローマカミツレエキス
　
４．対比、判断
　引用例１には、上記「３．［引用例１］」には、養毛料の発明が記載されていることが明らかであるところ、実施例１５として、酢酸トコフェロールと、Ｄ−パントテニルアルコールと、イソプロピルメチルフェノールと、ｌ−メントールと、エタノールと、ポリオキシエチレン（８０）硬化ヒマシ油と、精製水とを含有するヘアトニックが記載され（摘示（1-ix）参照）、該ヘアトニックは、養毛料の実施例として示されたものである（摘示（1-i）〜（1-vii）参照）こと、また、ニンジンエキス、センブリエキス、ヨウ化ニンニクエキスなどを配合できることが示され、実施例１６としてニンジンエキス、センブリエキスを配合した例も示されている（摘示（1-i）、（1-iii）〜（1-v）、（1-ix）参照）こと、前記実施例１６ではブチレングリコールも配合されている（摘示（1-ix）参照）ことに鑑み、次の発明（以下、「引用例１発明」という。）が開示されているものと認められる。
＜引用例１発明＞
　「ニンジンエキス、センブリエキス、ヨウ化ニンニクエキス、ブチレングリコールなども配合できる、酢酸トコフェロールと、Ｄ−パントテニルアルコールと、イソプロピルメチルフェノールと、ｌ−メントールと、エタノールと、ポリオキシエチレン（８０）硬化ヒマシ油と、精製水を含有する養毛料。」
　
　そこで、本願発明と引用例１発明とを対比する。
　（ａ）引用例１発明の「酢酸トコフェロールと、Ｄ−パントテニルアルコールと、イソプロピルメチルフェノールと、ｌ−メントール」は、本願発明の「厚労省認定の発毛有効成分」とされている「イソプロピルメチルフェノール、酢酸トコフェロール、D-パントテニルアルコール、メントール」に相当する。
　なお、「酢酸トコフェロールと、Ｄ−パントテニルアルコールと、イソプロピルメチルフェノールと、ｌ−メントール」が発毛有効成分であることは、例えば、周知図書Ａ〜Ｃに育毛成分として記載されているように本願出願前に周知の事項である（摘示（A-i）、（A-iii）、（B-i）、（C-i）、（C-iii）、（C-iv）参照；酢酸トコフェロールは血行促進作用や末梢血管拡張作用などを有し、Ｄ−パントテニルアルコールは毛母細胞賦活作用や育毛・発毛促進作用、脱毛防止作用などを有し、イソプロピルメチルフェノールは殺菌作用を有し、ｌ−メントールは局所刺激作用や頭皮浸透促進作用を有する。）し、また、引用例１〜９の殆どの引用例における発毛・育毛剤において、配合されるか、示唆されているものである。そして、「厚労省認定」であるか否かは技術的判断において実質的な相違点とはなり得ないものである。
　（ｂ）引用例１発明の「ニンジンエキス、センブリエキス、ヨウ化ニンニクエキスなども配合できる」は、本願発明の付随する成分として示された「ニンジンエキス」、「センブリエキス」に相当する。
　なお、「ヨウ化ニンニクエキス」は、「ニンニクエキス」にヨウ素を添加して無臭化したものである（摘示（c-ii）参照）から、「ニンニクエキス」に他ならないが、一応の相違点とする。
　（ｃ）引用例１発明の「エタノールと、ポリオキシエチレン（８０）硬化ヒマシ油と、精製水」と「ブチレングリコール」は、本願発明の「エタノール、水」「POE水添ヒマシ油」「BG」に相当する。
　なお、「BG」については、本願明細書でなんら説明されていないが、常識的にみてブチレングリコールと解するのが相当と言える。そのように解して、以下、BGとブチレングリコールのいずれの用語も使用し、等価のものとして扱う。また、硬化ヒマシ油とはヒマシ油に水素添加したものであり、「POE」とは「ポリオキシエチレン」の略号として用いられていること、「（８０）」はポリオキシエチレン中の「オキシエチレン」（−ＯＣＨ２ＣＨ２−）の繰り返し数であることから、ポリオキシエチレン（８０）硬化ヒマシ油は、POE水添ヒマシ油（当審注：オキシエチレンの繰り返し数は特定されていない）と同じものである。
　（ｄ）引用例１発明の「養毛料」は、育毛効果を有することも示されている（摘示（1-ii）参照）ので「育毛剤」と言うことができ、そして、薬用との表示が有るか否かは技術的判断を左右するものではない。また、例えば、含有されるイソプロピルメチルフェノールは殺菌剤としての作用効果を有することが知られている（摘示（2-ii）の［0047］、（A-i）の表３、（B-i）の表、（C-i）など参照）ので、乃至、育毛剤に配合される各種成分は薬理的な作用を奏するものとして配合される（上記（ａ）で示した酢酸トコフェロール、Ｄ−パントテニルアルコール、イソプロピルメチルフェノール、ｌ−メントールの作用や後記で示す各植物エキスの作用効果を参照）ことが多いので、それをもって薬用ということもできる。
　（ｅ）ところで、引用例１では、オイゲノール配糖体（実施例１５では、オイゲニルグルコシド）などの上記で特定しなかった他の成分が含有されているところ、本願発明では、「95合成無変性アルコール、SY-DP9、ニッコールHCO40（医）、ファルコレックスHGL、フイテレンRGX-232(BG)などを加えるなどの変形も本発明に含まれる」（本願明細書段落【0008】参照）とされているように、他の配合成分を除外するものとは認められないから、それら他の成分を含有することは本願発明と引用例１発明との相違点とはなり得ない。
　また、引用例１において、オイゲニルグルコシドを配合しなくとも、ミノキシジル（比較例５）やセンブリエキス（比較例６）、朝鮮ニンジンエキス（比較例８）、酢酸ｄｌ−α−トコフェロール（比較例１１）などを配合したものは、発毛率（塗布開始後１４日目の、発毛部の面積／毛刈り部の面積）の相対比（対対照群）と毛成長促進度（塗布開始後の２８日目の毛２０本の毛長の平均値／無処置の平均値）での評価が、オイゲニルグルコシドを併用したものに比べ劣っているものの、有効である（比較例５、６、８、１１の順に、「１．３３と１．１１」、「１．１６と１．１８」、「１．３２と１．１６」、「１．０６と１．０９」といずれも１．０を越えていて有効）ことが明らかである（摘示（1-viii）参照）から、
オイゲニルグルコシドを併用しなくとも発毛・育毛の作用効果はあると言え、オイゲニルグルコシド無配合の態様も発明として認識し得る
　ちなみに、前記引用例１の比較例５、６、８、１１の発毛率、毛成長促進度を対比すると、
ミノキシジル
ミノキシジル
　
　そうすると、上記（ａ）〜（ｅ）の判断を勘案し、両発明は、
　「発毛有効成分：イソプロピルメチルフェノール、酢酸トコフェロール、D-パントテニルアルコール、メントールと、
　付随する成分：ニンジンエキス、センブリエキス、エタノール、水、BG、POE水添ヒマシ油
を配合した薬用育毛剤」
で一致し、次の点で一応相違している。
＜相違点＞
　Ａ．付随する成分について、本願発明では、更に「ボタンエキス」、「アデノシン３リン酸２Na、グリシン、セリン、メチオニン、ヒキオコシエキス-1、シナノキエキス、オウゴンエキス、ダイズエキス、アルニカエキス、オドリコソウエキス、オランダカラシエキス、ゴボウエキス、セイヨウキズタエキス、ニンニクエキス、マツエキス、ローズマリーエキス、ローマカミツレエキス」、「POPジグリセリルエーテル」も配合したと特定されているのに対し、引用例１発明ではそのように言及されていない点
　
　そこで、この相違点について検討する。
　発毛、育毛の技術分野においては、有効とされる成分を組み合わせて用いることが一般的に行われている（例えば、周知図書Ａ（摘示（A-i））や周知図書Ｂ（摘示（B-i））、周知図書Ｃ（摘示（C-i））、引用例１〜９などに徴すれば明らかである）。育毛剤における有効成分の作用として、血行促進、局所刺激、毛母細胞賦活、抗男性ホルモン、殺菌、抗炎症、ふけ抑制、頭皮の鎮痒、角質溶解、浸透促進、皮脂分泌抑制、抗脂漏、保湿、栄養付与などが知られているところ、それら作用機序が異なるものや同種のものを適宜配合することが行われているのである（周知図書Ａ〜Ｃなど参照；なお、一つの配合成分が複数の作用機序を有し得ることにも留意）。そして、引用例１発明の養毛料には、動植物抽出エキスや、アミノ酸類、殺菌剤、抗炎症剤、界面活性剤などを適宜配合し得ることも示唆されている（摘示（1-vii）参照）。
　そして、本願発明で付随する成分とされている植物抽出物（エキス）やアデノシン類、セリンなどのアミノ酸、ＰＯＰジグリセリルエーテルなどは、次に示すように、既に発毛・育毛の有効成分として知られているか、少なくとも公知になっている物質にすぎないものである。
　「ボタンエキス」は、引用例２，５，７，図書Ｃ（摘示（2-iv）、（5-iii）の段落【００２２】、（5-vi）、（7-ii）、（C-vi）参照）に記載され、保湿作用、毛周期の成長期移行作用、毛乳頭活性化作用、抗炎症作用、血管拡張作用を有するとされている。
　「アデノシン３リン酸２Na」は、引用例４（摘示（4-ii）段落【００１８】参照）に記載され、毛包賦活作用を有するとされている。また、引用例３には、該「アデノシン３リン酸２Na」とはリン酸の結合した数が異なるものの極めて類似する物質である「アデノシン酸５’−リン酸２ナトリウム」（摘示（3-v）参照）などのアデノシン類が消炎剤と組合せると養毛効果に優れ、頭皮の消炎効果、脱毛防止などを相乗的に高める（摘示（3-iii）参照）とされている。（注：本願発明で用いる「アデノシン３リン酸２Na」は、「アデノシン三リン酸二ナトリウム」のことと解されるところ、IUPAC名で表すと、「アデノシン５’−三リン酸二ナトリウム」のことである（リン酸が３分子結合している）のに対し、引用例３の「アデノシン５’−リン酸」は、リン酸が１分子結合したもので５’−アデニル酸とも呼ばれるとされている（摘示（3-iv）参照）から、両者は、リン酸の結合した数のみが異なる。）
　「グリシン、セリン、メチオニン」のアミノ酸は、引用例３，５，６，８，図書Ｂ，Ｃ（摘示（3-ii）、（3-v）、（5-iv）、（6-ii）、（6-vi）、（8-ii）、（B-i）の（2）、（C-i）の（８）参照）に記載され、各種アミノ酸は栄養成分として補給されるものであり、また、毛髪等の蛋白合成に関与する作用（メチオニン）、皮膚の機能代謝における有用な栄養補給成分（セリン）、皮膚の保湿機能を改善維持する作用（グリシン）を有するとされている。
　「ヒキオコシエキス-1」は、引用例５，９，図書Ｃ（摘示（5-i）、（5-ii）、（5-v）、（9-i）、（9-ii）の表１、（9-v）、（9-x）、（C-vi）参照）に記載され、毛包上皮系細胞の増殖活性作用、毛周期における成長期維持延長作用、代謝促進作用、血流促進作用を有するとされている。
　「シナノキエキス」は、引用例５，７，図書Ｃ（摘示（5-iii）の段落【００２３】、（7-i）、（7-iii）の表１、（C-vi）参照）に記載され、毛周期の成長期移行作用、血行促進作用、保湿作用を有するとされている。
　「オウゴンエキス」は、引用例２，４，７，９，図書Ｂ〜Ｃ（摘示（2-ii）の［0044］、（2-v）の表３、（4-iii）、（7-ii）、（9-i）、（B-i）の（2）、（C-v）、（C-vi）参照）に記載され、消炎作用、抗炎症作用、抗菌、毛乳頭活性化作用、培養毛組織細胞の増殖作用、保湿作用，細胞賦活作用を有するとされている。
　「ダイズエキス」は、引用例５，図書Ｃ（摘示（5-i）、（5-ii）、（5-iii）の段落【００２１】、（5-v）、（5-vi）、（C-vi）参照）に記載され、毛包上皮系細胞の増殖活性作用、毛周期における成長期維持延長作用、毛周期の成長期移行作用を有する。
　「アルニカエキス」は、引用例２，５，７，図書Ｃ（摘示（2-v）の表３、（5-i）、（5-ii）、（5-v）、（7-ii）、（C-vi）参照）に記載され、毛包上皮系細胞の増殖活性作用、毛周期における成長期維持延長作用、毛乳頭活性化作用、抗炎症作用、刺激緩和作用、鎮痒作用、血流促進作用、保湿作用、脱毛予防作用を有するとされている。
　「オドリコソウエキス」は、引用例２，５，８，９，図書Ｃ（摘示（2-iv）の[0061]、（2-v）の表３、（5-iii）の段落【００２３】、（8-viii）、（9-i）、（9-viii）、（C-vi）参照）に記載され、抗脂漏作用、皮脂分泌抑制作用、毛周期の成長期移行作用、抗炎作用を有するとされている。
　「オランダカラシエキス」は、引用例２，４，８，９，図書Ｃ（摘示（2-ii）の［0060］、（2-v）の表３、（4-iii）、（8-viii）、（9-vii）、（C-vi）参照）に記載され、局所刺激作用、血流促進作用、発毛促進作用、保湿作用を有するとされている。
　「ゴボウエキス」は、引用例２，４，５，８，図書Ｃ（摘示（2-iv）、（2-v）の表３、（4-iii）、（5-iii）の段落【００２２】、（8-iii）、（C-vi）参照）に記載され、保湿作用、毛周期の成長期移行作用、ふけ・脱毛予防作用、血行促進作用、鎮痒作用を有するとされている。
　「セイヨウキズタエキス」は、引用例２，５，図書Ｃ（摘示（2-v）の表３、（5-iii）の段落【００２３】、（C-vi）参照）に記載され、毛周期の成長期移行作用、保湿作用、抗炎症作用、抗菌作用を有するとされている。
　「ニンニクエキス」は、引用例１，２，４，５，８，図書Ａ〜Ｃ（摘示（1-iii）、（2-ii）の[0043]、（2-v）の表３、（4-ii）、（5-iii）の段落【００２２】、（8-iii）、（A-i）の表３、（B-i）の表と（1）と（2）、（C-ii）、（C-vi）参照）に記載され、毛母細胞活性作用、血行促進作用、末梢血管拡張作用、皮膚の代謝促進作用、抗菌作用を有するとされている。
　「マツエキス」は、引用例２，５，８，図書Ｃ（摘示（2-v）の表３、（5-iii）の段落【００２２】、（5-vi）、（8-iii）、（C-vi）参照）に記載され、毛周期の成長期移行作用、充血緩和作用、エモリエント作用、殺菌作用を有するとされている。
　「ローズマリーエキス」は、引用例２，９，図書Ｃ（摘示（2-ii）の[0046]、（2-v）の表３、（9-i）、（9-ii）、（9-iv）、（9-ix）、（C-vi）参照）に記載され、血行促進作用、抗ふけ作用、抗炎症作用、脱毛予防作用を有するとされている。
　「ローマカミツレエキス」は、引用例２，図書Ｃ（摘示（2-v）の表３、（C-vi）参照）に記載され、抗炎症作用、抗菌作用、脱毛防止作用を有するとされている。
　「POPジグリセリルエーテル」は、引用例８，９（摘示（8-vi）、（8-vii）、（9-v）参照）に、養育毛組成物の配合成分として記載されている。
　また、引用例１で一致点とした植物抽出成分の「センブリエキス」と「ニンジンエキス」については、次の通りである。
　「センブリエキス」は、引用例１〜６，８，９，図書Ａ〜Ｃ（摘示（1-i）、（1-iii）〜（1-v）、（1-ix）の段落【００５２】、（2-ii）の［0046］、（2-v）の表３、（3-ii）、（4-i）、（4-ii）、（4-iv）、（5-iii）の段落【００２２】、（5-iv）、（6-iii）、（8-ii）、（8-v）、（8-viii）、（9-iii）、（9-vi）、（A-i）の表３、（B-i）の表、（1）、（C-i）、（C-ii）、（C-vi）参照）に記載され、血行促進作用、末梢血管拡張作用、毛周期の成長期移行作用、抗脱毛症作用、発毛促進作用、毛細血管の増強作用、抗炎症作用を有するとされている。
　「ニンジンエキス」は、引用例１，２，４，５，６，８，図書Ｂ，Ｃ（摘示（1-i）、（1-iii）〜（1-v）、（1-ix）の段落【００５２】、（2-ii）の［0043］、［0045］、［0046］、（2-v）の表３、（4-ii）、（5-iii）の段落【００２０】〜【００２２】、（5-vi）、（6-iii）、（6-v）、（8-iv）、（B-i）の表、（2）、（C-vi）参照）に記載され、毛母細胞活性作用、毛包賦活作用、血行促進作用、毛周期の成長期移行作用、皮膚代謝促進作用、末梢血管拡張作用、脱毛予防作用を有するとされている。
　更に、例えば、引用例２の実施例１４（摘示（2-v）の［表３］参照）では、「水、エタノール、ブチレングリコール」をベースとし、殺菌剤であるイソプロピルメチルフェノールと栄養補給とされるＤ−パントテニルアルコールは配合されていないものの（両者を配合できることは例えば摘示（2-ii）の段落［0043］（注：パンテノールとパントテニルアルコールは同一物質）、［0047］に記載されている。）、酢酸トコフェロールとメントールが配合され、さらに、センブリエキスの他、「オウゴンエキス」、「アルニカエキス、オドリコソウエキス、オランダカラシエキス、ゴボウエキス、セイヨウキズタエキス、ニンニクエキス、マツエキス、ローズマリーエキス、ローマカミツレエキス、オタネニンジンエキス」の多くの植物エキスが配合されているように、多数の植物抽出エキスが併用され得ることは、明らかである。
　
　そうであるから、引用例１発明において、「ニンジンエキス、センブリエキス」、「BG」を配合する外に、「ボタンエキス」、「アデノシン３リン酸２Na、グリシン、セリン、メチオニン、ヒキオコシエキス-1、シナノキエキス、オウゴンエキス、ダイズエキス、アルニカエキス、オドリコソウエキス、オランダカラシエキス、ゴボウエキス、セイヨウキズタエキス、ニンニクエキス、マツエキス、ローズマリーエキス、ローマカミツレエキス」、「POPジグリセリルエーテル」を配合すること及びそれらを配合したことによる育毛効果を確認することに格別の創意工夫が必要であったとは認められない。
　
　次に、本願明細書を検討すると、実験１と実験２において、育毛効果があることが示されている。
　しかし、それらは、発毛・育毛に有効とされる成分を配合するのであるから、当業者であれば、ある程度の育毛効果があると予想するものと認められるのであり、それら成分を組合せて配合したことにより、格別予想外に優れていると解すべきデータは提示されていないし、また意見書、審判請求理由においても格別予想外に優れていると解すべきデータは示されていない（後記参照）。ちなみに、実験１の結果を示す図２と図３の毛の再生率を比べると、ミノキシジルを塗布した場合に比べ本発明の方が劣っていることも明らかと認められる。
　
　ところで、請求人は、審判請求理由（平成２２年１０月４日受付の審判請求書の請求の理由を参照）において、（１）「本発明が有するダイズエキス（抗男性ホルモンの一種で毛包のホルモンバランスを整える）は引例５以外含まれておらず、本発明と決定的に構造及び発明的効果が異なります。」また、（２）「本発明が有するシナノエキス+ヒキオコシエキス+タンエキス(毛周期を終了させる。サイトカイーンをブロック)はどの引例にもぞくしておりません。」（当審注：「シナノエキス」は「シナノキエキス」の誤記、及び「タンエキス」は「ボタンエキス」の誤記と推定される。）と主張し、（３）「 また、この上記２点の本発明だけが有する効能は、具体的な実験で、各世代により、短期間に毛がはえるということが立証されています。」とし、２３歳女性の頭部、４４歳男性の頭部、９６歳男性の上半身の３組の写真（なお、説明はないが、育毛剤を使用する前と使用した後と推定される）を提示している。 
　しかし、いずれも、次の理由で採用できるものではない。
　前記（１）と（２）の主張については、その主張する作用機序について引用例では言及されていない場合がある［なお、シナノキエキス及びボタンエキスが、毛周期を終了させること、即ち毛周期における休止期の毛髪を同成長期に移行させる作用を有する成分（成長期移行成分）であることは引用例５に記載されている（摘示（5-iii）参照）。更に、引用例５には、ヒキオコシエキスが毛周期における成長期を維持若しくは延長する作用（成長期維持延長作用）を有すること（摘示（5-i）参照）、また、ダイズエキスが、成長期維持延長作用を有し（摘示（5-i）参照）、成長期移行成分であること（摘示（5-iii）参照）が記載されている。］けれども、そもそも本願明細書においても、そのように主張する作用機序を裏付けるデータ乃至資料は示されていないものであり、その作用機序を確認することはできない。なるほど、前記（３）の主張の如く３人の写真（育毛剤を使用する前と使用した後と推定）が提示されたが、どのような成分のものをどの程度の期間塗布した場合の対比であるのか何等説明されていないから、評価のしようもないし、また、上記検討のとおり、単に発毛・育毛効果があることを示したところで、本願明細書に記載された実験１（図２〜５）や実験２（図６、７）と同等程度のデータにすぎないものであって、引用例１発明に比べて予想外の作用効果であると理解できるものではない。また、仮に（１），（２）で主張するような作用機序をダイズエキスやシナノキエキス、ヒキオコシエキス、ボタンエキスが有すると解したところで、そのことがそれらの成分を引用例１発明に追加的に配合することを阻害するわけではないし、上記検討したとおりそれらを配合した育毛剤が格別予想外の作用効果を奏しているとは認められないものである。
　
　したがって、本願発明は、引用例１〜９の記載や周知技術を勘案し、引用例１発明に基づいて、当業者が容易に発明をすることができたものと言える。
　
５．むすび
　以上のとおりであるから、本願発明は、特許法第２９条第２項の規定により特許を受けることができない。
　
　よって、結論のとおり審決する。